(57)【要約】【課題】  好みの番組が運転中に放送された場合でも、この番組を見逃さずに視聴機会を確保する。【解決手段】  目的地への移動中にデジタル放送を受信する車載用デジタル放送受信装置であって、放送予定番組から視聴希望番組を検索するための番組検索情報を登録する手段９１と、現在位置情報を随時取得して表示更新すると共に、目的地までの移動経路に応じて断続的に音声情報を提供する経路案内手段９２と、経路案内手段９２による経路案内中に受信可能な周波数帯域で放送予定番組に関する番組配列情報を取得する手段９３と、番組配列情報と番組検索情報とを比較して視聴希望番組を検索する手段９４と、検索手段９４により検索された視聴希望番組の放送予定を音声通知する手段９５と、音声通知手段９５による放送予定の音声通知を経路案内手段９２による音声情報の提供中断を待って実行するように制御する手段９６とを備える。【選択図】        図２
2005197972.tif 000002
【特許請求の範囲】
【請求項１】
目的地への移動中にデジタル放送を受信する車載用デジタル放送受信装置であって、
前記デジタル放送による放送予定番組から視聴希望番組を検索するための番組検索情報を登録する登録手段と、
前記目的地への移動中に現在位置情報を随時取得して表示更新すると共に、当該目的地までの移動経路に応じて断続的に音声情報を提供する経路案内手段と、
この経路案内手段による経路案内中に受信可能な周波数帯域で前記放送予定番組に関する番組配列情報を取得する手段と、
この番組配列情報取得手段により取得された前記番組配列情報と前記番組検索情報とを比較して前記視聴希望番組を検索する手段と、
この検索手段により検索された前記視聴希望番組の放送予定を音声通知する音声通知手段と、
この音声通知手段による放送予定の音声通知を前記経路案内手段による前記音声情報の提供中断を待って実行するように制御する制御手段と
を備えることを特徴とする車載用デジタル放送受信装置。
【請求項２】
前記検索手段により検索された前記視聴希望番組を記録する記録手段を更に備えることを特徴とする請求項１に記載の車載用デジタル放送受信装置。
【請求項３】
前記目的地への移動速度を検出する速度検出手段を更に備え、
前記制御手段は、
前記速度検出手段により検出された前記移動速度に基づき移動停止中と判断した場合には、前記視聴希望番組の放送予定を前記音声通知手段により音声通知すると共に、前記経路案内手段によりメッセージ表示するように制御する
ことを特徴とする請求項１に記載の車載用デジタル放送受信装置。
【請求項４】
目的地への移動中に現在位置情報を随時取得して経路案内すると共に、この移動中にデジタル放送を受信する方法であって、
前記デジタル放送による放送予定番組から視聴希望番組を検索するための番組検索情報を予め登録し、
一方で、前記現在位置情報を随時表示更新すると共に、前記目的地までの移動経路に応じて断続的に音声情報を提供し、
他方で、前記放送予定番組に関する番組配列情報を受信可能な周波数帯域で取得し、
取得された前記番組配列情報と前記番組検索情報とを比較して前記視聴希望番組を検索し、
検索された前記視聴希望番組の放送予定を前記音声情報の提供中断を待って音声通知する
ことを特徴とするデジタル放送受信方法。
【請求項５】
前記視聴希望番組の放送予定を前記音声情報の提供中断を待って音声通知すると共に、当該視聴希望番組の記録を指示する入力を待ち、
入力された指示に従い前記視聴希望番組を記録する
ことを特徴とする請求項４に記載のデジタル放送受信方法。
【請求項６】
前記視聴希望番組の放送予定を前記音声情報の提供中断を待って音声通知する際に、
移動停止中の場合には、当該視聴希望番組の放送予定を音声通知すると共に、メッセージ表示する
ことを特徴とする請求項４に記載のデジタル放送受信方法。
【請求項７】
前記視聴希望番組の放送予定を音声通知及びメッセージ表示すると共に、当該視聴希望番組の表示又は記録を指示する入力を待ち、
入力された指示に従い前記視聴希望番組を表示し又は記録する
ことを特徴とする請求項６に記載のデジタル放送受信方法。
【請求項８】
目的地への移動中に現在位置情報を随時取得して経路案内すると共に、この移動中にデジタル放送を受信するために、
前記デジタル放送による放送予定番組から視聴希望番組を検索するための番組検索情報を予め登録し、
一方で、前記現在位置情報を随時表示更新すると共に、前記目的地までの移動経路に応じて断続的に音声情報を提供し、
他方で、前記放送予定番組に関する番組配列情報を受信可能な周波数帯域で取得し、
取得された前記番組配列情報と前記番組検索情報とを比較して前記視聴希望番組を検索し、
検索された前記視聴希望番組の放送予定を前記音声情報の提供中断を待って音声通知する
ことを特徴とするデジタル放送受信方法をコンピュータに実行させるためのプログラム。
【発明の詳細な説明】
【技術分野】
【０００１】
本発明は、車載用デジタル放送受信装置、デジタル放送受信方法及びその方法をコンピュータに実行させるためのプログラムに関し、特に、放送予定番組から検索された視聴希望番組の放送予定を経路案内のための音声情報の提供中断を待って音声通知するように制御することによって、ここで音声通知された放送予定に従って嗜好に合った番組の視聴機会を確保できるようにした車載用デジタル放送受信装置、デジタル放送受信方法及びその方法をコンピュータに実行させるためのプログラムに関する。
【背景技術】
【０００２】
放送衛星等を利用したデジタル放送においては、映像情報及び音声情報の他に、番組配列情報（サービス情報：Service Informationともいう）が、ＭＰＥＧ−２（Moving Picture coding Experts Group-2）規格に準拠して生成されたトランスポートストリーム（Transport Stream）に多重化されて送信されている。この番組配列情報は、放送予定の番組名、番組内容、番組ジャンル、番組開始時間及び番組継続時間等を検索可能にデータ化したものである。
【０００３】
従来のデジタル放送受信装置は、通常、１週間分を単位として送信される番組配列情報に係る週間番組情報から電子番組表（ＥＰＧ：Electronic Program Guide）を作成する機能を備えている。このＥＰＧでは、一般に、放送予定の番組（イベント：Event）のジャンルが、例えば、ニュース、スポーツ及びドラマのように、放送予定の番組名等と同時に表示されると共に、入力されるジャンルに対応する番組を検索して一覧表示するジャンル検索機能を有している。
【０００４】
また、この番組配列情報を利用した技術として、ユーザが望むジャンルの番組を選択するための選択情報を予め登録するだけで、この選択情報に適う番組が検索された場合、この番組の存在を告げるメッセージを現在表示中の画面に割り込ませて表示するデジタル放送受信装置が知られている。
【０００５】
このデジタル放送受信装置によれば、受信装置が、選択情報に適う番組の存在を視聴中の番組の画面に割り込んで能動的に告知してくれるので、ＥＰＧでのジャンル検索機能を利用して好みのジャンルの番組を検索する必要がなくなる。このため、ＥＰＧを利用する習慣がないユーザであっても、好みのジャンルの番組を視聴する機会を逃さずに楽しむことができるようになる（特許文献１参照）。
【０００６】
このようにデジタル放送は、映像情報及び音声情報に多重化された番組配列情報を利用して、嗜好に合った番組の視聴機会を確保できるばかりではなく、電車、自動車及び船等による移動中であっても、デジタル放送受信装置が内蔵された携帯電話等の携帯端末及び移動端末により番組を視聴できることから、地上波デジタル放送の開始に伴って、高画質な映像と高品質な音声とを何時でも何処でも楽しむことができる技術として、広く一般に普及するものと予想される。
【０００７】
【特許文献１】特開２００３−９０３３号公報
【発明の開示】
【発明が解決しようとする課題】
【０００８】
しかしながら、車載用ナビゲーション装置のような移動端末にデジタル放送受信装置を実装し、この移動端末によりデジタル放送を視聴する場合、走行中等であって、経路案内用のナビゲーション画面が表示されているときには、画面上でＥＰＧを利用できない。このため、好みのジャンルの番組を検索できずに、視聴機会を逃してしまうという問題があった。
【０００９】
また、特許文献１に記載されたデジタル放送受信装置のように、好みのジャンルの番組が存在することをナビゲーション画面（ナビ画面）に割り込ませて通知すると、運転に集中しなければならない状況下であるにもかかわらず、好みの番組の放送予定に注意を向けさせることになってしまう。さらに、放送予定の通知表示により経路案内に必要な地図情報の表示領域を狭めてしまうので、最優先されるべきナビゲーション機能が制限されてしまう。このため、好みの番組の存在を画面表示では通知できずに視聴機会を逸してしまうという問題もあった。
【００１０】
本発明は、上述の問題を解決し、好みのジャンルで視聴を希望する番組が運転中に放送された場合であっても、この番組を見逃さずに視聴機会を確保できるようにした車載用デジタル放送受信装置、デジタル放送受信方法及びその方法をコンピュータに実行させるためのプログラムを提供することを目的とする。
【課題を解決するための手段】
【００１１】
上記課題を解決するために、本発明に係る車載用デジタル放送受信装置は、目的地への移動中にデジタル放送を受信する車載用デジタル放送受信装置であって、デジタル放送による放送予定番組から視聴希望番組を検索するための番組検索情報を登録する登録手段と、目的地への移動中に現在位置情報を随時取得して表示更新すると共に、この目的地までの移動経路に応じて断続的に音声情報を提供する経路案内手段と、この経路案内手段による経路案内中に受信可能な周波数帯域で放送予定番組に関する番組配列情報を取得する手段と、この番組配列情報取得手段により取得された番組配列情報と番組検索情報とを比較して視聴希望番組を検索する手段と、この検索手段により検索された視聴希望番組の放送予定を音声通知する音声通知手段と、この音声通知手段による放送予定の音声通知を経路案内手段による音声情報の提供中断を待って実行するように制御する制御手段とを備えることを特徴とする。
【００１２】
本発明に係る車載用デジタル放送受信装置によれば、目的地への移動中にデジタル放送を受信するために、このデジタル放送による放送予定番組から視聴希望番組を検索するための番組検索情報が登録手段により予め登録される。そして、目的地への移動中に、一方で、経路案内手段により現在位置情報が随時取得されて表示更新されると共に、この目的地までの移動経路に応じて断続的に音声情報が提供される。また、他方で、経路案内手段による経路案内中に受信可能な周波数帯域で番組配列情報取得手段により放送予定番組に関する番組配列情報が取得される。この番組配列情報と予め登録された番組検索情報とが検索手段により比較されて視聴希望番組が検索される。ここで検索された視聴希望番組の放送予定を経路案内手段による音声情報の提供中断を待って音声通知手段により音声通知するように、制御手段により音声通知手段の動作が制御される。
【００１３】
従って、移動経路を案内する音声の合間に音声通知された視聴希望番組の放送予定に従い、この視聴希望番組を記録媒体に記録することができる。このため、嗜好に合って視聴を希望する番組が運転中に放送された場合であっても、この視聴希望番組を目的地到達後に視聴することが可能となるから、好みの番組の視聴機会を確保できるので、この好みの番組を見逃すことがなくなる。
【００１４】
本発明に係るデジタル放送受信方法は、目的地への移動中に現在位置情報を随時取得して経路案内すると共に、この移動中にデジタル放送を受信する方法であって、このデジタル放送による放送予定番組から視聴希望番組を検索するための番組検索情報を予め登録し、一方で、現在位置情報を随時表示更新すると共に、目的地までの移動経路に応じて断続的に音声情報を提供し、他方で、放送予定番組に関する番組配列情報を受信可能な周波数帯域で取得し、ここに取得された番組配列情報と番組検索情報とを比較して視聴希望番組を検索し、ここに検索された視聴希望番組の放送予定を音声情報の提供中断を待って音声通知することを特徴とする。
【００１５】
本発明に係るデジタル放送受信方法によれば、目的地への移動中にデジタル放送を受信する場合に、移動経路を案内する音声の合間に音声通知された視聴希望番組の放送予定に従って、この視聴希望番組を記録媒体に記録することができる。よって、嗜好に合う視聴希望の番組が運転中に放送された場合であっても、この視聴希望番組を目的地到着後に視聴することが可能となるから、好みの番組の視聴機会を確保できるため、このような番組を見逃すことがなくなる。
【００１６】
本発明に係るデジタル放送受信方法をコンピュータに実行させるためのプログラムは、目的地への移動中に現在位置情報を随時取得して経路案内すると共に、この移動中にデジタル放送を受信するために、デジタル放送による放送予定番組から視聴希望番組を検索するための番組検索情報を予め登録し、一方で、現在位置情報を随時表示更新すると共に、目的地までの移動経路に応じて断続的に音声情報を提供し、他方で、放送予定番組に関する番組配列情報を受信可能な周波数帯域で取得し、ここに取得された番組配列情報と番組検索情報とを比較して視聴希望番組を検索し、ここに検索された視聴希望番組の放送予定を音声情報の提供中断を待って音声通知することを特徴とする。
【００１７】
本発明に係るデジタル放送受信方法をコンピュータに実行させるためのプログラムによれば、目的地への移動中にデジタル放送を受信する場合に、移動経路を案内する音声の合間に音声通知された視聴希望番組の放送予定に従って、この視聴希望番組を記録媒体に記録することができる。よって、嗜好に合い視聴を希望する番組が運転中に放送された場合であっても、この視聴希望番組を目的地到達後に視聴することが可能となる。従って、好みの番組の視聴機会を確保できるので、好みの番組を見逃すことがなくなる。
【発明の効果】
【００１８】
本発明に係る車載用デジタル放送受信装置によれば、目的地への移動中にデジタル放送を受信する場合に、番組配列情報と番組検索情報とを比較して放送予定番組から視聴希望番組を検索する手段を備え、検索された視聴希望番組の放送予定を目的地への移動経路に応じて断続的に提供される音声情報の提供中断を待って音声通知するように制御するものである。
【００１９】
この構成によって、移動経路を知らせる音声案内の合間に音声通知された放送予定に従って、視聴希望番組を記録媒体に記録することができる。よって、嗜好に合って視聴を希望する番組が運転中に放送された場合であっても、この番組を目的地到着後に視聴することが可能となるから、好みの番組の視聴機会を確保できるので、この好みの番組を見逃すことがなくなる。しかも、移動経路の重要地点における音声案内を放送予定の音声通知より優先することができるので、音声案内に従って正確に移動経路を辿ることができる。従って、目的地まで安全かつ迅速に移動することができると共に、このように効率的に移動した後には、記録された好みの番組を楽しむことができるようになる。
【００２０】
本発明に係るデジタル放送受信方法及びその方法をコンピュータに実行させるためのプログラムによれば、目的地への移動中にデジタル放送を受信するために、一方で、現在位置情報を随時表示更新すると共に、目的地までの移動経路に応じて断続的に音声情報を提供し、他方で、放送予定番組から検索された視聴希望番組の放送予定を音声情報の提供中断を待って音声通知するようになされる。
【００２１】
この構成によって、移動経路を知らせる音声案内の合間に音声通知された放送予定に従って、視聴希望番組を記録媒体に記録することができる。よって、嗜好に合って視聴を希望する番組が運転中に放送された場合であっても、この視聴希望番組を目的地到着後に視聴することが可能となるから、好みの番組の視聴機会を確保できるので、この好みの番組を見逃すことがなくなる。しかも、移動経路の重要地点における音声案内を放送予定の音声通知より優先することができるので、音声案内に従って正確に移動経路を辿ることができる。従って、目的地まで安全かつ迅速に移動することができると共に、このように効率的に移動した後には、記録された好みの番組を楽しむことができるようになる。
【発明を実施するための最良の形態】
【００２２】
以下、添付の図面を参照しながら、本発明に係る車載用デジタル放送受信装置、デジタル放送受信方法及びその方法をコンピュータに実行させるためのプログラムの実施に最良の形態について説明する。
【００２３】
本実施形態では、目的地への移動中にデジタル放送を受信する場合に、目的地への移動経路に応じて断続的に音声情報を提供する経路案内手段を備え、この経路案内手段による音声情報の提供中断を待って視聴希望番組の放送予定を音声通知するように制御する。これによって、嗜好に合い視聴を希望する番組が運転中に放送された場合であっても、移動経路を案内する音声の合間に音声通知された放送予定に従って、好みの番組を記録媒体に記録するよう選択できるようにしたものである。
【００２４】
図１は、本実施形態としての車載用デジタル放送受信装置１００の構成例を示すブロック図である。この車載用デジタル放送受信装置１００は、デジタル放送受信機能とナビゲーション機能とが組み込まれた装置であって、デジタル放送受信機能は、デジタル放送アンテナ部１、ＲＦ処理／復調部２、ＴＳデコード部３、音声デコード部４、映像デコード部５、表示制御部６、ディスプレイ出力部７、ディスプレイ入力部８及びこれらを制御するシステム制御部９に割り当てられる。また、ナビゲーション機能は、表示制御部６、ディスプレイ出力部７及びディスプレイ入力部８をデジタル放送受信機能と共通に、ＧＰＳアンテナ部１０、ＲＦ処理／復調部１１、音声認識デコード部１２及び速度センサ１３に割り当てられる。
【００２５】
車載用デジタル放送受信装置１００は、これらデジタル放送受信機能とナビゲーション機能とが共用可能な記録手段として、ハードディスク駆動装置（ＨＤＤ：Hard Disk Drive）１４と、このＨＤＤ１４が有する磁気ディスク等の記録媒体の書き込み及び読み出しを制御するＤＩＳＫコントローラ１５とを備えて構成される。
【００２６】
このように複数の機能を備えて構成された車載用デジタル放送受信装置１００において、デジタル放送アンテナ部１は、周知のデジタル放送受信アンテナ等を有して構成され、放送衛星及び地上波デジタル放送事業者等により送信されたデジタル放送の電波を受信し、ＲＦ（Radio Frequency）信号としてＲＦ処理／復調部２に送出する。
【００２７】
ＲＦ処理／復調部２は、デジタル放送アンテナ部１及びＴＳデコード部３に夫々接続され、デジタル放送アンテナ部１から取得したＲＦ信号を予め指定された発信局の周波数に同調させてアナログ選局（チューニング）すると共に、選局された周波数のＲＦ信号を復調し、ＭＰＥＧ−２規格に準拠したトランスポートストリーム（以下、ＭＰＥＧ２−ＴＳと記載）を出力する。
【００２８】
ＴＳデコード部３は、ＲＦ処理／復調部２、音声デコード部４、映像デコード部５、システム制御部９及びＤＩＳＫコントローラ１５に夫々接続され、所望のパケットをフィルタリング処理することによって、ＭＰＥＧ２−ＴＳに多重化された複数のチャネルから予め指定されたチャネルを選択すると共に、このＭＰＥＧ２−ＴＳを映像ＰＥＳ（Packetized Elementary Stream：パケタイズドエレメンタリストリーム）、音声ＰＥＳ及びデータＰＥＳにデマルチプレクス（情報分離）する。そして、ここで分離された映像ＰＥＳは映像デコード部５に送出され、音声ＰＥＳは音声デコード部４に送出され、データＰＥＳはシステム制御部９に送出される。
【００２９】
また、ＴＳデコード部３は、録画指定されたチャネルを構成するパケットのみをＭＰＥＧ２−ＴＳから抽出してパーシャル（Partial）ＭＰＥＧ２−ＴＳを生成し、このパーシャルＭＰＥＧ２−ＴＳをＤＩＳＫコントローラ１５に送出する。ＤＩＳＫコントローラ１５は、ＴＳデコード部３、システム制御部９及びＨＤＤ１４に夫々接続され、システム制御部９の制御下で、ＴＳデコード部３から送出されたパーシャルＭＰＥＧ２−ＴＳを磁気ディスク等の記録媒体に書き込んで記録するようにＨＤＤ１４を制御することになる。
【００３０】
音声デコード部４は、ＴＳデコード部３及びスピーカ等の音声出力装置（図示せず）に夫々接続され、ＴＳデコード部３より取得した音声ＰＥＳを復号処理して音声データを生成する。ここで生成された音声データは、更にＤ／Ａ変換されて音声信号となされ、スピーカから音声として出力される。
【００３１】
映像デコード部５は、ＴＳデコード部３及び表示制御部６に夫々接続され、ＴＳデコード部３より取得した映像ＰＥＳを復号処理し、映像データとして表示制御部６に送出する。
【００３２】
表示制御部６は、映像上に番組情報等の各種情報を重畳させて表示するように制御するＯＳＤ（On Screen Display）コントローラを有して構成され、映像デコード部５、ディスプレイ出力部７及びシステム制御部９に夫々接続される。表示制御部６は、映像デコード部５から送出される映像データに基づく映像上にシステム制御部９から送出される各種情報を表示するために、これら映像データ及び各種情報に基づくビットマップデータを生成してディスプレイ出力部７に供給する。従って、システム制御部９は、ＴＳデコード部３から取得したデータＰＥＳのヘッダ情報に基づきＥＰＧ等の各種情報を構築して表示制御部６に送出することになる。
【００３３】
ディスプレイ出力部７は、ＬＣＤ（Liquid Crystal Display）のような画像表示機能を備えた表示装置を有し、表示制御部６に接続される。ディスプレイ出力部７は、表示制御部６による制御下で、表示制御部６から送出される映像データに基づく映像の上に、システム制御部９から送出される各種情報を重畳させて表示する。
【００３４】
ディスプレイ入力部８は、透明タッチパネルのような入力デバイスを有し、ディスプレイ出力部７が有するＬＣＤ等の画面と一体構成されたタッチパネル方式のユーザインタフェイスである。ディスプレイ入力部８は、システム制御部９に接続され、ＬＣＤ等の画面に表示された操作釦等を選択するようにタッチパネルが押圧操作されると、この押圧操作による受信チャネルの指定及びＨＤＤへの録画指定等の各種入力を受け付けて、入力状況に係るステイタス（Status）をシステム制御部９に送出する。
【００３５】
システム制御部９は、少なくともＣＰＵ（Central Processing Unit）、ＲＡＭ（Random Access Memory）及びＲＯＭ（Read Only Memory）とこれらを接続するバス（Bus）とを有する周知のコンピュータシステムであって、ＴＳデコード部３、表示制御部６、ディスプレイ入力部８、ＲＦ処理／復調部１１、音声認識デコード部１２、速度センサ１３及びＤＩＳＫコントローラ１５に夫々接続される。
【００３６】
システム制御部９は、ディスプレイ入力部８から入力された各種情報、動作設定及び実行指示または音声認識デコード部１２から入力される音声信号に従って、ＴＳデコード部３から取得したデータＰＥＳ、ＲＦ処理／復調部１１から入力されるＧＰＳ衛星データ及び速度センサ１３から入力される車速信号を解析処理すると共に、処理後に取得される情報を表示制御部６及びＤＩＳＫコントローラ１５に送出する。これによりシステム制御部９は、車載用デジタル放送受信装置１００の全動作を制御する。
【００３７】
ＧＰＳアンテナ部１０は、任意のＧＰＳ（Global Positioning System：全世界測位システム）受信機を有して構成され、ＧＰＳ衛星からの電波を受信し、ＧＰＳ信号としてＲＦ処理／復調部１１に送出する。
【００３８】
ＲＦ処理／復調部１１は、ＧＰＳアンテナ部１０に接続され、このＧＰＳアンテナ部１０から取得したＧＰＳ信号を増幅して低周波数のＩＦ信号に変換するＲＦ処理を実行し、このＩＦ信号を逆拡散処理することにより復調されたＧＰＳ衛星データをシステム制御部９に送出する。
【００３９】
システム制御部９は、ＲＦ処理／復調部１１から入力されるＧＰＳ衛星データに航路計算を適用して解析処理を実行することによって、現在位置情報を随時取得する。そして、ここで取得された現在位置情報をディスプレイ出力部７により表示するために、この現在位置情報を表示制御部６に送出する。これによって、目的地までの移動経路を案内するカーナビゲート（自動車経路案内）動作を実行することが可能となる。
【００４０】
音声認識デコード部１２は、マイクロフォン等の音声入力装置を有して構成され、システム制御部９に接続される。音声認識デコード部１２は、ディスプレイ入力部８の他に設けられた入力デバイスであって、音声入力される動作設定及び指示等を音声信号に復号してシステム制御部９に送出する。
【００４１】
システム制御部９は、動作設定及び指示等がマイクロフォンから音声入力された場合には、音声認識デコード部１２から入力される音声信号に基づいて、車載用デジタル放送受信装置１００の各部の動作を制御する。よって、システム制御部９は、例えば、マイクロフォンから「録画」のように音声入力された場合、この「録画」指示に従って、デジタル放送アンテナ部１により受信された番組をＨＤＤ１４に記録することになる。
【００４２】
速度センサ１３は、システム制御部９に接続され、目的地への移動速度を検出する手段として機能し、システム制御部９に車速信号を送出する。システム制御部９は、速度センサ１３から入力される車速信号を利用して相対的移動方向及び移動距離等を算出することによって、ＧＰＳ衛星データの解析処理により取得された現在位置情報を補完する。これによりシステム制御部９は、より正確に経路案内を実行できるばかりでなく、車載用デジタル放送受信装置１００が搭載された自動車等の移動体が、移動中か又は停止中か判断することができるようになる。
【００４３】
ＨＤＤ１４は、上述したように、システム制御部９の制御下で、ディスプレイ入力部８又は音声認識デコード部１２から入力された指示に従って、ＤＩＳＫコントローラ１５を介して入力されるパーシャルＭＰＥＧ２−ＴＳ等のデータを記録媒体に記録するように、ＤＩＳＫコントローラ１５により書込制御される。また、ＨＤＤ１４は、ディスプレイ入力部８又は音声認識デコード部１２から入力された指示に従って、システム制御部９の制御下で、記録媒体に記録されたデータを読み出してＴＳデコード部３又はシステム制御部９に送出するように、ＤＩＳＫコントローラ１５により読出制御される。
【００４４】
これによって、嗜好に合う視聴希望の番組を、ディスプレイ入力部８又は音声認識デコード部１２により指定してＨＤＤ１４に記録（録画）できると共に、このＨＤＤ１４に記録された好みの番組を読み出して何時でも楽しむことができる。
【００４５】
次に、このように構成された本実施形態の車載用デジタル放送受信装置１００の動作について説明する。図２は、車載用デジタル放送受信装置１００の動作を制御するシステム制御部９の機能ブロックの構成例を示す図である。
【００４６】
システム制御部９では、このシステム制御部９に係るコンピュータシステムを構成するＣＰＵ（図示せず）が、ＲＯＭ（図示せず）に予め格納されたプログラムを読み出して実行することによって、図２に示すように、番組検索情報登録部９１、経路案内部９２、番組配列情報取得部９３、視聴希望番組検索部９４、音声通知部９５、音声通知制御部９６、記憶部９７及び速度検出部９８として機能するようになる。
【００４７】
番組検索情報登録部９１は、デジタル放送による放送予定番組から視聴希望番組を検索するための番組検索情報を登録する。番組検索情報登録部９１は、例えば、ディスプレイ入力部７又は音声認識デコード部１２から入力される番組ジャンルを、登録ジャンル「映画」のように番組検索情報として登録する。
【００４８】
経路案内部９２は、目的地への移動中に現在位置情報を随時取得して表示更新すると共に、この目的地までの移動経路に応じて断続的に音声情報を提供する。経路案内部９２は、具体的には、ＧＰＳアンテナ部１０により受信されＲＦ処理／復調部１１により入力されたＧＰＳ衛星データを解析処理して現在位置情報を随時取得し、この現在位置情報を表示制御部６に送出する。これにより表示制御部６は、現在位置情報を地図情報等と同時にＬＣＤ等の画面に表示できるようになる。
【００４９】
また、経路案内部９２は、ＧＰＳ衛星データの解析処理により取得された現在位置情報に基づいて、目的地に誘導するための音声情報を移動経路に応じて適宜、音声通知制御部９６に入力する。音声通知制御部９６は、経路案内部９２から入力された音声情報を音声通知部９５に適時出力する。よって、音声通知部９５は、例えば「次の交差点で右折して下さい。」のように、経路案内部９２による目的地への音声案内を移動経路に応じて断続的にスピーカ１６から出力することになる。
【００５０】
番組配列情報取得部９３は、経路案内部９２による経路案内中に受信可能な周波数帯域で放送予定番組に関する番組配列情報を取得する。番組配列情報取得部９３は、具体的には、デジタル放送のＭＰＥＧ２−ＴＳからデマルチプレクスされたデータＰＥＳをＴＳデコード部３から取得し、このデータＰＥＳに含まれる番組配列情報を抽出して視聴希望番組検索部９４に入力する。
【００５１】
視聴希望番組検索部９４は、番組配列情報取得部９３により取得された番組配列情報と、番組検索情報登録部９１により予め登録された番組検索情報とを比較して視聴希望番組を検索する。例えば、番組検索情報登録部９１により視聴希望番組のジャンルが「映画」と予め登録された場合、視聴希望番組検索部９４は、現在位置で受信可能な周波数でのサービスに関する番組配列情報から登録ジャンル「映画」に該当する番組を検索し、さらに、この登録ジャンル「映画」に該当する番組の番組名、放送局名、番組開始時間及び周波数チャネル等も番組配列情報から検索する。これによって、視聴希望番組の放送予定を管理するための番組管理データを構築する。
【００５２】
視聴希望番組検索部９４は、上述のように構築された番組管理データを定期的に更新すると共に、この番組管理データにおいて開始時間が近づいた視聴希望番組を定期的に検索する。そして、例えば、番組開始時間が１０分以内に予定された番組が検索された場合、この番組の番組名及び番組開始時間等を音声通知制御部９６に入力する。
【００５３】
音声通知制御部９６は、経路案内部９２から経路案内のための音声情報が入力され、この音声情報に基づく音声案内がスピーカ１６から出力されている場合には、番組開始時間が近づいた視聴希望番組に関する情報を一時的に保持する。そして、音声通知制御部９６は、経路案内部９２から入力された音声情報に基づく音声案内が中断したとき、番組開始時間が近づいた視聴希望番組に関する情報を音声通知部９５へ入力するように制御する。これにより音声通知制御部９６は、視聴希望番組検索部９４により検索された視聴希望番組の放送予定の音声通知を経路案内部９２による音声情報の提供中断を待って実行するように制御することができる。
【００５４】
また、音声通知部９５は、例えば、番組開始時間の１０分前に、音声通知制御部９６から入力された視聴希望番組に関する情報を、音声テキスト合成技術を用いて音声信号に変換し、この音声信号をスピーカ１６に送出する。これによって、移動経路を知らせる音声案内の合間に、登録ジャンル「映画」に係る視聴希望番組の放送予定を、例えば、「１０分後にチャンネル０で映画が放映されます」のように、スピーカ１６により音声通知することが可能となる。
【００５５】
従って、視聴を希望して登録したジャンルの番組が運転中に放送された場合であっても、音声通知された放送予定に従って、視聴希望番組をＨＤＤ１４に記録（録画）するように、音声認識デコード部１２から「録画」と音声で指示し、又は、ディスプレイ入力部７から録画の指示をタッチ入力することができる。このため、ＨＤＤ１４に記録された登録ジャンル「映画」の番組を、目的地到着後に視聴することができるから、この視聴希望番組の視聴機会を確保できるので、運転中に放送された番組であっても見逃すことがなくなる。
【００５６】
記憶部９７は、上述のように、音声認識デコード部１２又はディスプレイ入力部７から視聴希望番組の記録指示が入力された場合、この記録指示に従って、視聴希望番組検索部９４により検索された視聴希望番組をＨＤＤ１４に記録するようにＤＩＳＫコントローラ１５を制御する。これによって、視聴希望番組が運転中に放送された場合であっても、この視聴希望番組をＨＤＤ１４に記録することができるから、ここに記録された番組を目的地到着後に視聴することが可能となる。このため、例えば、目的地が行楽地等であった場合には、帰宅を待たずに行楽地等で好みのジャンルの番組を楽しむことができる。
【００５７】
速度検出部９８は、速度センサ１３から車速信号を取得し、この車速信号から相対的移動方向、移動距離及び移動速度等を算出する。この速度検出部９８により算出された移動速度は、音声通知制御部９６に入力される。
【００５８】
音声通知制御部９６は、速度検出部９８から入力された移動速度に基づいて、車載用デジタル放送受信装置１００が搭載された自動車等が移動中か又は停止中か判断する。そして、音声通知制御部９６は、自動車等の移動体が移動停止中と判断した場合には、視聴希望番組検索部９４により検索された登録ジャンル「映画」に関する情報を音声通知部９５と経路案内部９２とに夫々入力する。
【００５９】
これによって、この視聴希望番組として登録されたジャンルの番組の放送予定を、音声通知部９５を介してスピーカ１６により音声通知すると共に、ＬＣＤ等の画面にテロップとしてメッセージ表示するように表示制御部６により制御することができる。
【００６０】
従って、運転に集中しなければならない状況下においては、視聴希望番組の放送予定を音声通知すると共に、音声入力による指示を待ち、移動停止中においては、視聴希望番組の放送予定を音声通知と同時にテロップとして画面にメッセージ表示し、タッチパネルによる指示入力を待つことができる。このため、ナビゲーション機能を最優先しながら、ナビゲーション（経路案内）の必要がないときには、従来のデジタル放送受信装置と同様に使用することもできる。
【００６１】
次に、本発明に係るデジタル放送受信方法及びその方法をコンピュータに実行させるためのプログラムの実施形態として、上述した車載用デジタル放送受信装置１００によるデジタル放送受信例について、図３及び図４示すフローチャートを参照して説明する。車載用デジタル放送受信装置１００のシステム制御部９は、このフローチャートに従い車載用デジタル放送受信装置１００を構成する各部の動作を制御することによって、デジタル放送を受信する。
【００６２】
このデジタル放送受信例では、目的地への移動中にナビゲーション機能により現在位置情報を随時取得して経路案内すると共に、この移動中にデジタル放送を受信するために、本発明に係るデジタル放送受信方法をシステム制御部９に実行させることを前提とする。また、本発明に係るデジタル放送受信方法をシステム制御部９に実行させるためのプログラムは、このシステム制御部９が有するＲＯＭ（図示せず）に予め格納されており、デジタル放送による放送予定番組から視聴希望番組を検索するための番組検索情報として、好みの番組ジャンルが予め登録されているものとする。
【００６３】
これを前提として、上述のカーナビゲーション機能を備えた車載用デジタル放送受信装置１００に電力を投入すると、図３に示すフローチャートのステップＳ０１で、システム制御部９はナビゲーション制御を開始し、ＧＰＳアンテナ部１０及びＲＦ処理／復調部１１により取得されたＧＰＳ衛星データに基づいて、表示画面上の現在位置情報を随時表示更新すると共に、目的地までの移動経路に応じて断続的にスピーカ１６より音声情報を提供する。
【００６４】
ステップＳ０２で、デジタル放送アンテナ部１により受信されＴＳデコード部３に送出される放送予定番組に関する番組配列情報を受信可能な周波数帯域で取得し、ステップＳ０３で、番組配列情報と番組検索情報として登録された番組ジャンルとを比較して視聴希望番組を検索する。
【００６５】
次のステップＳ０４で、登録ジャンルが、デジタル放送アンテナ部１により取得された番組配列情報に存在しない場合、ステップＳ０５に進み、電源がオフ（遮断）されなければステップＳ０１に戻る。そして、ステップＳ０４で登録ジャンルの番組が番組配列情報から検索されるまで、ステップＳ０１乃至ステップＳ０５のループを繰り返す。
【００６６】
このステップＳ０４で、登録ジャンルの番組が番組配列情報にて検索された場合、図４に示すフローチャートのステップＳ０６に移行して、速度センサ１３から入力される車速信号に基づき走行中と判断した場合、ステップＳ０７ａに進み、スピーカ１６により移動経路を知らせるための音声情報を提供中であったとき、このステップＳ０７ａで、音声情報の提供中断（終了）を待つ。そして、この音声情報の提供が中断すると、ステップＳ０８ａに進み、番組配列情報から検索された視聴希望番組の放送予定をスピーカ１６により音声通知すると共に、例えば、ＬＣＤ等の画面に「記録」釦を表示し、この視聴希望番組の記録を指示する入力を待つ。
【００６７】
次のステップＳ０９で、番組の記録を指示する入力がなかった場合、図４に示したフローチャートのステップＳ０１に戻り、上述と同様に制御する。一方、音声認識デコード部１２を介して番組記録の指示が音声入力された場合、又は、ＬＣＤ画面に表示した「記録」釦の押圧操作による番組記録の指示がディスプレイ入力部８により入力された場合、ステップＳ１０に進む。
【００６８】
ステップＳ１０で、入力された指示に従って視聴希望番組のＨＤＤ１４への記録を開始し、ステップＳ１１で、番組配列情報から番組継続時間を取得する。そして、ステップＳ１２で、この番組継続時間に基づき番組長だけ記録を行い、放送終了と判断すると、図３のステップＳ０１に戻り、ステップＳ０５で電源オフとなされるまで、上述のようにナビゲーション制御とデジタル放送受信とを同時に実行する。
【００６９】
このように、このデジタル放送受信例によれば、移動経路を知らせる音声案内の合間に音声通知された放送予定に従って、視聴希望番組をＨＤＤ１４に記録するように選択できる。よって、嗜好に合って視聴を希望する番組が運転中に放送された場合であっても、この番組を目的地到着後に視聴することが可能となるから、好みに合った視聴希望の番組を見逃すことがなくなる。しかも、移動経路の重要地点における音声案内を放送予定の音声通知より常に優先することができるので、音声案内に従って正確に移動経路を辿ることができる。従って、目的地まで安全かつ迅速に移動することができると共に、このように効率的に移動した後には、記録された好みの番組を楽しむことができるようになる。
【００７０】
一方、ステップＳ０６で、速度センサ１３から入力される車速信号に基づき停止中と判断した場合、ステップＳ０７ｂに進み、番組配列情報から検索された視聴希望番組の放送予定をスピーカ１６により音声通知すると共に、この放送予定をテロップとしてＬＣＤ等の画面にメッセージ表示する。また、この画面に「記録」釦及び「視聴」釦を表示し、この視聴希望番組の視聴（表示）又は記録を指示する入力を待つ。
【００７１】
ステップＳ０８ｂで、番組視聴の指示が音声入力又は釦入力された場合、ステップＳ１３に進み、ディスプレイ出力部７により番組を視聴可能に表示し、ステップＳ１４でナビ画面に戻らない場合、ステップＳ１３に戻り、番組終了まで視聴希望番組を表示する。そして、ステップＳ１４で、ナビゲーション開始の指示が入力されると、図３のステップＳ０１に戻ってナビゲーション制御を再開する。
【００７２】
ステップＳ０８ｂで、番組視聴の指示が入力されない場合、ステップＳ０９に進み、ここで番組の記録を指示する入力がなかった場合、図３のステップＳ０１に戻り、上述と同様に制御する。一方、番組記録の指示が音声入力又は釦入力された場合、ステップＳ１０に進む。
【００７３】
そして、ステップＳ１０で、上述したように、入力された指示に従って視聴希望番組のＨＤＤ１４への記録を開始し、ステップＳ１１で、番組配列情報から番組継続時間を取得し、ステップＳ１２で、この番組継続時間に基づき放送終了まで番組を記録して、図３のステップＳ０１に戻る。そして、ステップＳ０５で電源オフとなされるまで、上述のようにナビゲーション制御とデジタル放送受信とを同時に実行する。
【００７４】
このように本発明に係るデジタル放送受信方法及びその方法をコンピュータに実行させるためのプログラムによれば、従来のデジタル放送受信方法と同様に、好みのジャンルの番組を予め登録して視聴機会を確保できるだけでなく、運転中であっても、デジタル放送受信装置が内蔵された車載用ナビゲーション装置のような移動端末により番組を記録でき、また、パーキングエリア等で停車中であれば、好みの番組を見逃さずに即座に視聴できる。従って、高画質な映像と高品質な音声とを何時でも何処でも楽しむことができるというデジタル放送の利点を最大限に享受することが可能となる。
【００７５】
以上、本発明に係る車載用デジタル放送受信装置、デジタル放送受信方法及びその方法をコンピュータに実行させるためのプログラムの実施に最良の形態及びその効果について詳細に説明してきたが、本発明は、この実施形態の構成に限定されるものではなく、この出願の願書に添付した特許請求の範囲により規定された本発明の適用範囲から逸脱せずに、上述した実施形態の構成が備える機能を達成可能な構成であれば、どのようなものであっても適用することができる。
【００７６】
例えば、上述した実施形態においては、予め登録する番組検索情報として番組ジャンルを利用したが、この番組検索情報として登録する情報は番組ジャンルに特に限定されるものではなく、番組配列情報に検索可能に含まれるデータを利用するものであれば良い。従って、例えば、番組内容に含まれる出演者名等のキーワードを番組検索情報として登録することによって、好みの俳優が出演するドラマ等の視聴機会を逃すことがなくなる。
【００７７】
また、上述した実施形態においては、本発明に係るプログラムをシステム制御部９のＲＯＭに予め格納したが、このプログラムを、例えば、ＲＯＭ及びＤＶＤ等の記録媒体に記録して提供することも可能であり、デジタル放送の電波にダウンロード可能に多重化させてＨＤＤ１４に記録させても良い。
【産業上の利用可能性】
【００７８】
本発明は、車載用ナビゲーション装置等の移動端末によるデジタル放送受信に適用して極めて好適である。
【図面の簡単な説明】
【００７９】
【図１】本発明に係る車載用デジタル放送受信装置の構成例を示すブロック図である。
【図２】システム制御部９の機能ブロックの構成例を示す図である。
【図３】本発明に係るデジタル放送受信方法を示すフローチャート（その１）である。
【図４】本発明に係るデジタル放送受信方法を示すフローチャート（その２）である。
【符号の説明】
【００８０】
１・・・デジタル放送アンテナ部、２，１１・・・ＲＦ処理／復調部、３・・・ＴＳデコード部、４・・・音声デコード部、５・・・映像デコード部、６・・・表示制御部、７・・・ディスプレイ出力部、８・・・ディスプレイ入力部、９・・・システム制御部、１０・・・ＧＰＳアンテナ部、１２・・・音声認識デコード部、１３・・・速度センサ、１４・・・ＨＤＤ、１５・・・ＤＩＳＫコントローラ、９１・・・番組検索情報登録部、９２・・・経路案内部、９３・・・番組配列情報取得部、９４・・・視聴希望番組検索部、９５・・・音声通知部、９６・・・音声通知制御部、９７・・・記憶部、９８・・・速度検出部、１００・・・車載用デジタル放送受信装置
【図１】
2005197972.tif 000003
【図２】
2005197972.tif 000004
【図３】
2005197972.tif 000005
【図４】
2005197972.tif 000006